(57)【特許請求の範囲】
【請求項１】
長体よりなるシャッター部材をリンク部材を介して互いに連結した構造のシャッターカーテンを、その閉鎖状態において、外部から持ち上げるのを阻止するためのグリルシャッターの持ち上げ防止構造において、
前記シャッターカーテンは、開放時、巻回状態で収納され、該シャッターカーテンの閉鎖状態における下部となり、該シャッターカーテンの収納状態における非巻回部分となる垂下部分及び巻回収納状態における最外周に位置する前記リンク部材には、前記シャッター部材を介しての隣接する他方のリンク部材との相対回動における一方への回動を阻止する規制部材が設けられていることを特徴とするグリルシャッターの持ち上げ防止構造。
【請求項２】
前記規制部材は、左右のリンク板が中間の背板にて略コ字状に一体化されたリンク部材により形成され、その背板の上下両端には平板状のロック板が一体に延出して形成され、前記相対回動時にロック板が上下に隣接する前記リンク部材の背面に干渉するようになることを特徴とする請求項１に記載のグリルシャッターの持ち上げ防止構造。
【請求項３】
前記規制部材は、左右のリンク板が中間の背板にて略コ字状に一体化されたリンク部材により形成され、その背板の一端には平板状のロック板が一体に延出して形成され、前記相対回動時にロック板が上下に隣接する前記リンク部材の背面に干渉するようになることを特徴とする請求項１に記載のグリルシャッターの持ち上げ防止構造。
【請求項４】
前記規制部材は、左右の側板と背板とで略コ字状に一体形成され、左右の側板の上下端には対向する前記シャッター部材が挿入される溝が形成され、背板の上下に平板状の規制板が一体に延出されたカバー体と、このカバー体に前記シャッター部材を挟んで固定される固定板とよりなり、前記相対回動時に規制板が上下に隣接する前記リンク部材の背面に干渉するようになることを特徴とする請求項１に記載のグリルシャッターの持ち上げ防止構造。
【請求項５】
前記規制部材は、前記シャッターカーテンの間口幅方向中央部分に位置して配設されることを特徴とする請求項１乃至４のいずれか１つに記載のグリルシャッターの持ち上げ防止構造。
【発明の詳細な説明】
【技術分野】
【０００１】
本発明は、グリルシャッターなどのシャッターカーテンを、その閉鎖状態において、外部から持ち上げるのを阻止するためのシャッターカーテンの持ち上げ防止構造に関するものである。
【背景技術】
【０００２】
図１１に示すようなグリルタイプのシャッターカーテンＳを備えたシャッター装置Ｄでは、シャッターカーテンＳが、図１２（ａ）に示すように、多段に横設された棒状或いはパイプ状の長体部材ａを、縦方向に配置される多数のリンク部材ｂで連結した構造とされ、建物開口Ａを閉鎖した状態であっても内外方向に透けて見えることから、例えば店舗等において営業時間外でのディスプレイ効果を得ることができ、また、駐車場などの出入口に配置し、排煙、通気性を確保することが可能となるものである。
【０００３】
ところが、このグリルシャッターＤのシャッターカーテンＳでは、長体部材ａに相対回動可能にリンク部材ｂで連結した構造であることから、この長体部材ａの位置で表裏（内外）どちらともリンク部材ｂが屈曲可能となっているため、すなわち、図１２（ａ）に示すシャッターカーテーンＳの閉鎖状態で、床面に接地しているシャッターカーテンＳの下端を掴み持ち、持ち上げると図１２（ｂ）に示すように、各リンクｂが容易にジグザグ状に折れ曲り、床面ＦＬとの間に隙間が生じやすい。勿論シャッターカーテンＳの両側縁部はガイドレールＲに沿って移動可能に支持されており、この位置での屈曲はガイドレールＲの溝幅長に規制されるものの、両ガイドレールＲ間の略中央部分、すなわち間口幅略中央部分では、ガイドレールＲなどの規制もなく、特にシャッターカーテンＳの開口高さが十分にあり、かつ間口幅が大きい場合には、長体部材ａの撓みも加わって、床面ＦＬとシャッターカーテン下端Ｓａとの間の隙間が大きくあいてしまい、その隙間の大きさによっては、人が匍匐して通過可能な高さの空間が形成されてしまうおそれがあるため、防犯上好ましくないものとなる。
【０００４】
なお、グリル構造であることから、パイプ状の長体部材ａ間に手が差込める空間が連続する構造であるため、通常のスラットタイプのシャッターカーテンに設けられるような施錠機構は取り付けることができず、専ら収納部分Ｂでの巻取装置のブレーキ手段によって、すなわちシャッターカーテンＳが繰り出された状態を維持しようとする機構で閉鎖状態が維持されているだけであった。
【０００５】
そこで下記特許文献１に示すような、持ち上げ防止装置が開示されている。この特許文献には、閉鎖状態となったシャッターカーテンの収納部内に位置する上端位置に、係止具を設け、シャッターカーテンの収納部内には、係合爪を備えた回転子を配置し、閉鎖状態となっているシャッターカーテンの下部からの上昇時に、長体部材の間隔が小さくなったことを、係止具の回転子方向への傾動によって回転子の係合爪が係止具と係合してシャッターカーテンの上昇を阻止するものである。
【特許文献１】特開平１１−１８２１６４号公報
【発明の開示】
【発明が解決しようとする課題】
【０００６】
しかしながら、この構造においては、シャッターカーテン全体の上昇を、その上端部分で阻止するものであり、前述のようにリンク部分の屈曲による局部的な上昇を抑制するまでには至らなかった。すなわち、シャッターカーテン全体としての上端部分は収納部分内方に逆行することが阻止されるが、その上端から床面までの下端部分までは、各リンク部材による屈曲等によって、シャッターカーテン下端の上昇が許容されてしまう欠点を有している。
【０００７】
そこで本発明は、以上の課題を解決するためになされたものであって、その目的とするところは、簡素な構造を付加することにより、局部的な持ち上げによるリンク部材の前後方向（内外方向）の屈曲を防止し、シャッターカーテンと床面との隙間を低減させ、防犯性を向上できるようにしたグリルシャッターの持ち上げ防止構造を提供するものである。
【課題を解決するための手段】
【０００８】
次に、上記の課題を解決するための手段を、実施の形態に対応する図面を参照して説明する。
この発明のグリルシャッターの持ち上げ防止構造は、長体よりなるシャッター部材９をリンク部材を介して互いに連結した構造のシャッターカーテン２を、その閉鎖状態において、外部から持ち上げるのを阻止するためのグリルシャッターの持ち上げ防止構造において、
前記シャッターカーテン２の閉鎖状態における少なくとも下部を構成する前記リンク部材５には、前記シャッター部材９を介しての隣接する他方のリンク部材８との相対回動を阻止する規制部材７が設けられていることを特徴とする。
【０００９】
また、この発明のグリルシャッターの持ち上げ防止構造は、長体よりなるシャッター部材をリンク部材を介して互いに連結した構造のシャッターカーテンを、その閉鎖状態において、外部から持ち上げるのを阻止するためのグリルシャッターの持ち上げ防止構造において、
前記シャッターカーテン２は、開放時、巻回状態で収納され、該シャッターカーテン２の閉鎖状態における下部となり、該シャッターカーテン２の収納状態における非巻回部分となる垂下部分ｈを構成する前記リンク部材５には、前記シャッター部材９を介しての隣接する他方のリンク部材８との相対回動を阻止する規制部材７が設けられていることを特徴とする。
【００１０】
請求項１記載のグリルシャッターの持ち上げ防止構造は、長体よりなるシャッター部材をリンク部材を介して互いに連結した構造のシャッターカーテンを、その閉鎖状態において、外部から持ち上げるのを阻止するためのグリルシャッターの持ち上げ防止構造において、
前記シャッターカーテン２は、開放時、巻回状態で収納され、該シャッターカーテン２の閉鎖状態における下部となり、該シャッターカーテン２の収納状態における非巻回部分となる垂下部分ｈ及び巻回収納状態における最外周に位置する前記リンク部材５には、前記シャッター部材９を介しての隣接する他方のリンク部材８との相対回動における一方への回動を阻止する規制部材７が設けられていることを特徴とする。
前記規制部材は、左右のリンク板が中間の背板にて略コ字状に一体化されたリンク部材により形成され、その背板の上下両端には平板状のロック板が一体に延出して形成され、前記相対回動時にロック板が上下に隣接する前記リンク部材の背面に干渉するようになる構成としても良い。
また、前記規制部材は、左右のリンク板が中間の背板にて略コ字状に一体化されたリンク部材により形成され、その背板の一端には平板状のロック板が一体に延出して形成され、前記相対回動時にロック板が上下に隣接する前記リンク部材の背面に干渉するようになる構成としても良い。
さらに、前記規制部材は、左右の側板と背板とで略コ字状に一体形成され、左右の側板の上下端には対向する前記シャッター部材が挿入される溝が形成され、背板の上下に平板状の規制板が一体に延出されたカバー体と、このカバー体に前記シャッター部材を挟んで固定される固定板とよりなり、前記相対回動時に規制板が上下に隣接する前記リンク部材の背面に干渉するようになる構成としても良い。
【００１１】
請求項４記載のグリルシャッターの持ち上げ防止構造は、請求項１，２，３のいずれか１つに記載のグリルシャッターの持ち上げ防止構造であって、前記規制部材７は、前記シャッターカーテン２の間口幅方向中央部分に位置して配設されることを特徴とする。
【発明の効果】
【００１２】
したがって本発明の持ち上げ防止構造によれば、シャッターカーテンを構成する各リンク部材が、少なくとも下部を構成する部分において、規制部材によってジグザグ状に屈曲することが回避され、防犯上好ましいものとなる。
【００１３】
また、この規制部材が、各リンク部材における相対回動の一方への回動を阻止する構成とすることで、シャッターカーテンを閉鎖した状態でのジグザグ状屈曲を防止し、かつ、シャッターカーテンの収納時の他方への屈曲を可能としており、収納の妨げにならない。
【００１４】
さらに、この規制部材を間口幅方向中央部分に設けることで、グリルシャッターにおける最も撓みやすい部分において、屈曲防止対策が可能となり、シャッターカーテンの下部を掴み持ち、持ち上げる不正行為を阻止することができ、防犯対策となる。
【発明を実施するための最良の形態】
【００１５】
以下、本発明を実施するための最良の形態につき、図面を参照して詳細に説明する。
図１（ａ），（ｂ）は本発明が適用されるグリルシャッターの全体構成を示す断面説明図、図２（ａ），（ｂ）は本発明の第１の実施の形態による持ち上げ防止構造の分解斜視図及び斜視図、図３はシャッターカーテン開放時である最大巻取時の状態を示す側面図である。
【００１６】
図１において、建物内外を仕切る外壁１に形成された所定高さＨの開口Ａ上部には、グリルシャッターであるシャッター装置４の電動式巻取装置を内蔵するシャッターケース３が配置され、シャッターカーテン２を巻き取り、繰り出し可能としている。そして、開口部Ａの開放状態では巻き取られたシャッターカーテン２はシャッターケース３内で最大径となり、図１（ａ）に示すように、シャッターカーテン２の下端２ａをケース３の下面に開口させたスリットに保持し、図１（ｂ）に示すように、シャッターカーテン２の下端２ａを床面ＦＬに着床させた状態でシャッターケース３内で略最小径となる。そして、開放状態での最大径となった状態で鉛直部の高さｈに、巻取外周の円周長さを加えた長さとなる床面ＦＬからの所定高さ位置までの範囲Ｌに本発明の持ち上げ防止構造１００が適用される。
【００１７】
図２は第１の実施形態を示すもので、本発明の持ち上げ防止構造１００は、一方のリンク部材としての第１のリンク部材５と、他方のリンク部材としての第２のリンク部材と、長体よりなるシャッター部材としてのパイプ部材９とで大略構成される。
第１のリンク部材５は、一対のリンク板６Ａが背板６Ｂにて略コ字状一体化され、かつ背板６Ｂ両端を長手方向に延出させた規制部材としての平板状のロック板７を備えたもので、また、リンク板６Ａの両端側面にパイプ通し孔６ａを穿設したものである。
【００１８】
この第１のリンク部材５に組合わされる第２のリンク部材８は、前記リンク板６Ａ間に配置されるものであり、その両端側面にパイプ通し孔８ａを形成しており、これら第１のリンク部材５と、第２のリンク部材８を１つおきに配置し、各パイプ通し孔６ａ，８ａを一致させた状態でパイプ部材９を挿通することにより、図２（ｂ）に示すようにシャッターカーテン２が組み立てられ構成される。
【００１９】
組立状態では各第１のリンク部材５のロック板７が、第２のリンク部材８の背面８ｂに干渉するため、内側方向となる一方側にはパイプ部材９の箇所で相対回動することでの屈曲が不可能となり、これにより、従来のようにジグザグ状に屈曲することによるシャッターカーテン２の高さ方向の変化、すなわち、シャッターカーテン２の下部２ａを掴み持ち、持ち上げるような不正行為が行われても、下部２ａの上昇を阻止することができ、床面ＦＬとの間に空間を形成してしまうような不具合を防止することができる。なお、ロック板７が一方側にのみ有することから、外側方向となる他方側には屈曲が可能となり、収納時に妨げになることはない。
【００２０】
図３は上記各リンク部材５，８の組合せ範囲の具体例を示すもので、巻取最大径の周長範囲Ｍｍａｘに加え、シャッターカーテン２収納時（巻取時）のシャッターカーテン２の下部である垂下部分ｈの合計が本発明の構造１００の適用範囲となる。
【００２１】
なお、この垂下部分ｈは巻き取られない部分であり、真直のままでよいため、この範囲ｈにおいては、前記第１のリンク部材５を連続するように連結して、ロック板７を表裏それぞれに位置するよう構成して、どちらの方向にも相対回動せず屈曲しないようにするようにもできる。
【００２２】
また、上記実施の形態では、１つおきに、ロック板７を備えた第１のリンク部材５で構成したが、シャッターカーテン２の撓み度合に応じて、複数個おきに配置することも可能である。さらには、持ち上げ防止構造はシャッターカーテン２の最も撓みやすい間口方向中央部で実施することが望ましいが、シャッターカーテン２の幅方向の各リンク部分において、これら第１，第２のリンク部材５，８にて構成することとしてもよい。
【００２３】
図４は第２の実施の形態の持ち上げ防止構造２００を示す一部分解斜視図である。なお、以降の説明において前記第１の実施の形態と同一箇所には同一符号を付して説明する。
図において、リンク部材１０Ａ，１０Ｂは、一対のリンク板１１Ａの両端にパイプ挿通孔１１ａを有し、背板１１Ｂの一端に長手方向に延設した平板状のロック板１２を一体化したものである。各リンク部材１０Ａ，１０Ｂは互いに嵌まり合うように、一方のリンク部材１０Ａに対して他方のリンク部材１０Ｂが、背板１１Ｂを幅狭に形成されている。
したがってこの第２の実施の形態では、パイプ部材９をそれぞれの挿通孔１１ａに挿通し、シャッターカーテン２を構成した状態で、各リンク部材１０Ａ，１０Ｂのロック板１２が、それぞれの背板に当接することで前方への屈曲を防止することになる。
【００２４】
図５は、第３の実施の形態の持ち上げ防止構造３００による斜視図である。図において、シャッターカーテン２を構成する各リンク部材は、上記第１の実施の形態のリンク部材５，８と同等である。これらリンク部材５，８を、シャッターカーテン２としての幅方向（間口方向）における隣り合うリンク部材で、第１のリンク部材５をロック板７が交互に位置するよう構成する。そして各リンク部材５，８をパイプ部材９にて連結することにより、表裏両方向に相対回動せずに屈曲することのない部分を構成できる。
【００２５】
図６は第４の実施の形態による概略分解斜視図である。図において、リンク部材２０、パイプ部材２１で構成されるシャッターカーテン２は、既存のシャッターカーテンであり、リンク部材２０の１つおきに持ち上げ防止構造４００を構成する規制部材３０が取り付けられる。この規制部材は３０、側板３１Ａと背板３１Ｂとで略コ字状に一体形成されるとともに、両側板３１Ａの両端にパイプ部材２１の外径と略同寸法の幅長に形成された溝３２を形成され、かつ背板３１Ｂの長手方向に延出する平板状の規制板３４を備えたカバー体３３と、このカバー体３３にビス３６等の固定手段にて固定される固定板３５とからなっている。この規制部材３０では、カバー体３３をシャッターカーテン２の一方の面から、各溝３２にパイプ部材２１を挿入するように取り付け、固定板３５にて上下のパイプ部材２１を挟み込むように固定される。そして、カバー体３３の規制板３４が、相対向する他方のリンク部材の背部に当接することとなって、一方側への相対回動を不能とし屈曲を防止することになる。
【００２６】
この第４の実施形態では、屈曲防止が必要となった場合に、シャッターカーテンの分解・再組立作業を要することなく、必要箇所にのみ取り付けることで持ち上げ防止機能を付加することができ、すなわち、既設のグリルシャッター装置に対して、後付け加工にて防犯対策を講ずることが可能となる。なお、カバー体３３は、複数のリンク部材２０を一体化するように、これら複数のリンク部材２０にわたり取り付けられるような構成としてもよく、同図中に示すような、２つの隣り合うリンク部材２０，２０を真直に保持するように、パイプ部材２１が挿入する溝１３２を備え、長尺に形成されるカバー体１３３として構成してもよく、さらには、リンク部材同士の相対回動を不能にしたい部分の全てにわたる長さのカバー部材として構成してもよい。このようなカバー部材によれば、リンク部材とパイプ部材とが、格子枠状に構成され、屈曲するようなことがなくなる。
【００２７】
図７は第５の実施の形態による概略分解斜視図である。図において、持ち上げ防止構造５００を構成するリンク部材は、第１のリンク部材４１と第２のリンク部材４２とで構成される。第１のリンク部材４１は、リンク板４１Ａと背板４１Ｂとで略コ字状に形成されており、リンク板４１Ａの両端が背板４１Ｂより延出して、パイプ通し孔４１ａが穿設される。第２のリンク部材４２は、第１のリンク部材４１のリンク板４１Ａ間に配置されて、両端にパイプ通し孔４２ａが形成される。すなわち各パイプ通し孔４１ａ，４２ａを一致させた状態でパイプ部材４３を挿通することでシャッターカーテンが組み立てられる。また第２のリンク部材４２には、端部にくさび形状に突出した規制部４４が設けられる。この規制部４４は、第２のリンク部材の一側縁に沿って延出形成される。そして、この規制部４４は、第１のリンク部材４１の背板４１Ｂの内面とで規制部材４０を構成する。すなわち、各リンク部材４１，４２がパイプ部材４３で連結された状態において、背板４１Ｂの内面に規制部４４が干渉し、内側方向となる一方側にはパイプ部材４３の箇所で相対回動することでの屈曲が不可能となり、これによりジグザグ状に屈曲することがない。また、外側方向となる他方側には、屈曲が可能である。このようなリンク部材４１，４２によれば、規制部４４の突出形状を一側縁に沿った延出形状としたことから、互いを屈曲した状態では、第１のリンク部材４１の幅長よりも突出せず、すなわち、シャッターカーテンの厚さ方向に突出しないので、シャッターカーテンを巻き取るなど収納する際に他のリンク部材等と干渉することがなく、また、このような構造とすることで、シャッターカーテン全域のどこの箇所に適用しても収納時に妨げになることはない。なお、図７においては、第１のリンク部材４１の上下に位置する各第２のリンク部材４２の各一端にのみ規制部４４が形成された図とされているが、各第１のリンク部材４１に対して規制部材４０が連続するように、第２のリンク部材４２の両端に規制部４４が設けられることとしてもよい。
【００２８】
図８は第６の実施の形態による概略分解斜視図である。図において、持ち上げ防止構造６００を構成するリンク部材５１は、短冊板状に形成されて、パイプ部材５２を３つ以上、図に示す例では５つのパイプ部材５２が挿通されるパイプ通し孔５１ａが穿設されている。このリンク部材５では、挿通された各パイプ部材５２の位置では屈曲が不可能となり、すなわち、これらパイプ部材５２とで略格子枠状に構成されることとなる。このことから、ジグザグ状に屈曲することがなくなる。また、この例では、連続した短冊板状の部材であることから、機構部分などを備えず、容易に構成でき、さらには、見栄えの低下がない。
【００２９】
図９は第７の実施の形態による概略分解斜視図である。図において、持ち上げ防止構造７００を構成するリンク部材６１は、上記した第６の実施の形態と同様に構成され、パイプ通し孔６１ａを３つ以上備えて構成されるとともに、１つのリンク部材６１につき、２つのパイプ通し孔６１ａを用いてリンク部材６１同士を連結する。例えば図示の例では、上記第６の実施の形態と同様にパイプ通し孔６１ａが５つ穿設されており、各パイプ通し孔６１ａにはパイプ部材６２が挿通され、これら通し孔６１のうち２つを別のリンク部材６１の通し孔６１ａと共通させてパイプ部材６２を挿通し連結する。このような構成とすることで、パイプ部材６２とリンク部材６１とは、パイプ部材６２の箇所での相対回動することでの屈曲が不可能となり、ジグザグ状に屈曲することがない。
【００３０】
図１０は第８の実施の形態による概略分解斜視図である。図において、持ち上げ防止構造を構成するリンク部材７１は、上記した第６，第７の実施の形態と同様に、３つ以上のパイプ通し孔７１ａが穿設されており、これらパイプ通し孔７１ａにパイプ部材７２が挿通される。そして、この実施の形態では、両端の各パイプ通し孔７１ａにて、他のリンク部材７１とパイプ部材７２が挿通されることで連結されるとともに、その隣に位置して連結される各リンク部材７１の列で、連結位置を変え、すなわちリンク部材７１の位置を千鳥状に位置させることで隣り合う位置のリンク部材７１同士の連結部分を一致させずに配置構成させる。このような構成とすることで、パイプ部材７２の箇所での相対回動することでの屈曲が不可能となり、ジグザグ状に屈曲することがなくなる。
【００３１】
なお、上述した各実施の形態では、シャッターカーテンを建物開口上方の収納部内に巻き取る構造としたが、建物開口の上部にて、シャッターカーテンを巻き取らずに延展状態で収納する構造、例えば建物開口ではシャッターカーテンが略垂直状態であり、収納状態では建物開口の上部にて略水平状態或いはやや傾斜状態とされるような、建物開口上部である中途に変向部分を備えた所謂オーバーヘッドタイプのシャッターカーテンにも適用可能である。
【００３２】
また、収納部を下方に位置させ上方向に閉鎖し下方向に開放するシャッター装置や、横方向を開閉方向とするシャッター装置、或いは斜め方向を開閉方向とするシャッター装置等のシャッターカーテンにおいても、閉鎖性を良好とするため、及び防犯性を向上するために、上記本発明と同様の構造を用いることが可能である。
【図面の簡単な説明】
【００３３】
【図１】（ａ），（ｂ）は本発明が適用されるグリルシャッターの全体構成を示す断面説明図である。
【図２】（ａ），（ｂ）は本発明の第１の実施の形態による持ち上げ防止構造の分解斜視図及び斜視図である。
【図３】シャッターカーテン開放時である最大巻取時の状態を示す側面図である。
【図４】第２の実施の形態の持ち上げ防止構造を示す一部分解斜視図である。
【図５】第３の実施の形態の持ち上げ防止構造による斜視図である。
【図６】第４の実施の形態の持ち上げ防止構造による概略分解斜視図である。
【図７】第５の実施の形態の持ち上げ防止構造による概略分解斜視図である。
【図８】第６の実施の形態の持ち上げ防止構造による概略分解斜視図である。
【図９】第７の実施の形態の持ち上げ防止構造による概略分解斜視図である。
【図１０】第８の実施の形態の持ち上げ防止構造による概略分解斜視図である。
【図１１】グリルシャッターの全体を示す概略正面図である。
【図１２】（ａ），（ｂ）は従来のグリルシャッターカーテンの動作を示す概略斜視図である。
【符号の説明】
【００３４】
２…シャッターカーテン
４…グリルシャッター（シャッター装置）
５，８，１０Ａ，１０Ｂ，２０，４１，５１，６１，７１…リンク部材
７，１２…規制部材（ロック板）
９，２１，４３，５２，６２，７２…シャッター部材（パイプ部材）
３０，４０…規制部材
１００，２００，３００，４００，５００，６００，７００，８００…持ち上げ防止機構
【図１】
0004668720.tif 000002
【図２】
0004668720.tif 000003
【図３】
0004668720.tif 000004
【図４】
0004668720.tif 000005
【図５】
0004668720.tif 000006
【図６】
0004668720.tif 000007
【図７】
0004668720.tif 000008
【図８】
0004668720.tif 000009
【図９】
0004668720.tif 000010
【図１０】
0004668720.tif 000011
【図１１】
0004668720.tif 000012
【図１２】
0004668720.tif 000013